(57)【要約】【課題】摩擦体を取り付けた軸筒の後端開口部における軸筒内部と軸筒外部との通気を確実に遮断できる熱変色性筆記具を提供する。【解決手段】軸筒２の後端に、熱変色性インキによる熱変色性の筆跡を摩擦しその際に生じる摩擦熱で前記熱変色性の筆跡を熱変色させる摩擦体５を設ける。軸筒２の後端開口部内面に係合凸部２１を形成する。係合凸部２１よりも前方の軸筒２の後端開口部内面に環状の内側シール部２２を設ける。摩擦体５が、外面に環状の外側シール部５１ａを有する前側膨出部５１と、該前側膨出部５１の後方に連設される係合凹部５３と、該係合凹部５３の後方に連設される後側膨出部５２とからなる。係合凸部２１と係合凹部５３とを係合させる。後側膨出部５２を軸筒２の後端より後方に突出させる。外側シール部５１ａと内側シール部２２とを気密嵌合させ、軸筒２内部と軸筒２外部との間の通気を遮断する。【選択図】  図１
2011079206.tif 000002
【特許請求の範囲】
【請求項１】
軸筒の内部に熱変色性インキを収容し、前記軸筒の前端に前記熱変色性インキが吐出可能なペン先を備え、前記軸筒の後端に、前記熱変色性インキによる熱変色性の筆跡を摩擦しその際に生じる摩擦熱で前記熱変色性の筆跡を熱変色させる摩擦体を設けた熱変色性筆記具であって、軸筒の後端開口部内面に係合凸部を形成し、前記係合凸部よりも前方の軸筒の後端開口部内面に環状の内側シール部を設け、摩擦体が、外面に環状の外側シール部を有する前側膨出部と、該前側膨出部の後方に連設される係合凹部と、該係合凹部の後方に連設される後側膨出部とからなり、係合凸部と係合凹部とを係合させ、後側膨出部を軸筒の後端より後方に突出させ、外側シール部と内側シール部とを気密嵌合させることにより、軸筒の後端開口部における軸筒内部と軸筒外部との間の通気を遮断することを特徴とする熱変色性筆記具。
【請求項２】
後側膨出部の最大外径が内側シール部の内径より小さく設定され、摩擦体の後側膨出部が係合凸部を前方から後方に乗り越えることにより、係合凸部と係合凹部とを係合させる請求項１記載の熱変色性筆記具。
【請求項３】
摩擦体の前側膨出部の後端部外径が係合凸部の内径よりも大きく、且つ、摩擦体の後側膨出部の前端部外径が係合凸部の内径よりも大きい請求項１または２記載の熱変色性筆記具。
【発明の詳細な説明】
【技術分野】
【０００１】
本発明は、熱変色性筆記具に関する。詳細には、軸筒の内部に熱変色性インキを収容し、前記軸筒の前端に前記熱変色性インキが吐出可能なペン先を設け、前記軸筒の後端に、前記熱変色性インキによる熱変色性の筆跡を摩擦しその際に生じる摩擦熱で前記熱変色性の筆跡を熱変色させる摩擦体を設けた熱変色性筆記具に関する。
【背景技術】
【０００２】
従来、この種の筆記具において、例えば、特許文献１には、熱変色性の筆跡を摩擦熱により熱変色させる摩擦体を、軸筒の後端に設けた構成が記載されている。前記特許文献１において、筆記具がインキ逆流防止体を備えたゲルインキボールペンの場合、インキ逆流防止体の後方の軸筒内部空間と軸筒外部との通気が必要であり、前記特許文献１の図２には、通気孔を備えた摩擦体によって、軸筒内部と軸筒外部との間の通気を許容する構造が記載されている。
【先行技術文献】
【特許文献】
【０００３】
【特許文献１】特開２００８−１５５６２４号公報
【発明の概要】
【発明が解決しようとする課題】
【０００４】
前記従来の熱変色性筆記具において、軸筒の後端開口部に摩擦体を取り付け、前記軸筒の後端開口部における軸筒内部と軸筒外部との通気を確実に遮断できるものは、未だ提案されていない。
【０００５】
本発明は、摩擦体を取り付けた軸筒の後端開口部における軸筒内部と軸筒外部との通気を確実に遮断できる熱変色性筆記具を提供しようとするものである。
尚、本発明で、「前」とはペン先側を指し、「後」とはその反対側（摩擦体側）を指す。
【課題を解決するための手段】
【０００６】
＜１＞本願の第１の発明は、軸筒２の内部に熱変色性インキを収容し、前記軸筒２の前端に前記熱変色性インキが吐出可能なペン先４を備え、前記軸筒２の後端に、前記熱変色性インキによる熱変色性の筆跡を摩擦しその際に生じる摩擦熱で前記熱変色性の筆跡を熱変色させる摩擦体５を設けた熱変色性筆記具であって、軸筒２の後端開口部内面に係合凸部２１を形成し、前記係合凸部２１よりも前方の軸筒２の後端開口部内面に環状の内側シール部２２を設け、摩擦体５が、外面に環状の外側シール部５１ａを有する前側膨出部５１と、該前側膨出部５１の後方に連設される係合凹部５３と、該係合凹部５３の後方に連設される後側膨出部５２とからなり、係合凸部２１と係合凹部５３とを係合させ、後側膨出部５２を軸筒２の後端より後方に突出させ、外側シール部５１ａと内側シール部２２とを気密嵌合させることにより、軸筒２の後端開口部における軸筒２内部と軸筒２外部との間の通気を遮断することを要件とする。
【０００７】
前記第１の発明の熱変色性筆記具１は、外側シール部５１ａと内側シール部２２とを気密嵌合させることにより、摩擦体５を取り付けた軸筒２の後端開口部における軸筒２内部と軸筒２外部との通気を確実に遮断できる。また、前記第１の発明の熱変色性筆記具１は、摩擦体５によって直接、軸筒２の後端開口部を密封し、軸筒２の後端開口部を介する軸筒２内部と軸筒２外部との間の通気を遮断する構成のため、部品点数の増加を抑えることができる。
【０００８】
＜２＞本願の第２の発明は、前記第１の発明の熱変色性筆記具１において、後側膨出部５２の最大外径が内側シール部２２の内径より小さく設定され、摩擦体５の後側膨出部５２が係合凸部２１を前方から後方に乗り越えることにより、係合凸部２１と係合凹部５３とを係合させることを要件とする。
【０００９】
前記第２の発明の熱変色性筆記具１は、前記構成により、摩擦体５の挿入組立が容易となる。
【００１０】
＜３＞本願の第３の発明は、前記第１または２の発明の熱変色性筆記具１において、摩擦体５の前側膨出部５１の後端部外径が係合凸部２１の内径よりも大きく、且つ、摩擦体５の後側膨出部５２の前端部外径が係合凸部２１の内径よりも大きいことを要件とする。
【００１１】
前記第３の発明の熱変色性筆記具１は、前記構成により、後側膨出部５２の前端部と係合凸部２１との当接により摩擦体５の前方への移動（即ち摩擦体５の軸筒２内部への埋没）が防止され、前側膨出部５１の後端部と係合凸部２１との当接により摩擦体５の後方への移動（即ち摩擦体５の外部への脱落）が防止される。即ち、前記第３の発明の熱変色性筆記具は、摩擦体５の前後の移動が確実に防止され、摩擦体５の強固な取付状態を維持できる。
【発明の効果】
【００１２】
本発明の熱変色性筆記具は、摩擦体を取り付けた軸筒の後端開口部における軸筒内部と軸筒外部との通気を確実に遮断できる。
【図面の簡単な説明】
【００１３】
【図１】本発明の実施の形態の縦断面図である。
【図２】図１の要部拡大図である。
【図３】図１の摩擦体の取付過程を示す要部拡大図である。
【発明を実施するための形態】
【００１４】
本発明の第１の実施の形態を説明する（図１乃至図３参照）。
【００１５】
本実施の形態の熱変色性筆記具１は、軸筒２と、該軸筒２内に収容され且つ内部に熱変色性インキが含浸されるインキ吸蔵体３と、該インキ吸蔵体３に接続され且つ軸筒２の前端開口部に取り付けられるペン先４と、軸筒２の後端開口部に取り付けられる摩擦体５とからなる。
【００１６】
・軸筒
前記軸筒２は、円筒状の前軸２ａと、円筒状の後軸２ｂとからなる。前記前軸２ａの後端部と前記後軸２ｂの前端部は、螺合または嵌合により連結される。前記前軸２ａ及び前記後軸２ｂは、合成樹脂（例えば、ポリプロピレン）の成形体から得られる。
【００１７】
前記軸筒２（後軸２ｂ）の後端開口部の内面には、環状の係合凸部２１が一体に形成される。前記係合凸部２１の前面及び後面は、垂直面となっている。前記係合凸部２１よりも前方の軸筒２（後軸２ｂ）の後端開口部の内面に、環状の平滑面からなる内側シール部２２が形成される。前記内側シール部２２よりも前方の軸筒２の内面には、軸方向に延びる複数のリブ２３が一体に形成される。
【００１８】
・インキ吸蔵体
前記インキ吸蔵体３は、インキを含浸可能な連続気孔を有する部材（即ち多孔質材料）からなるものであればよく、例えば、繊維束の熱融着加工体、繊維束の樹脂加工体、フェルトの樹脂加工体、フェルトのニードルパンチ加工体、合成樹脂の連続気泡体等が挙げられる。また、前記インキ吸蔵体３は、その外周面に合成樹脂フィルム等よりなる外皮を備える構成でもよい。
【００１９】
前記インキ吸蔵体３の内部に熱変色性インキが含浸されている。前記熱変色性インキは、例えば、加熱により消色するタイプ、または、加熱により発色するタイプが挙げられる。前記インキ吸蔵体３の後端は前記軸筒２内面のリブ２３に当接される。また、前記インキ吸蔵体３の前面にペン先４の後端部が突き刺し接続される。
【００２０】
・ペン先
前記ペン先４は、軸筒２（前軸２ａ）の前端開口部内面に取り付けられる。前記ペン先４より熱変色性インキが吐出される。前記ペン先４は、繊維の樹脂加工体からなる。前記ペン先４は、これ以外にも、例えば、ボールペンチップ、繊維束の熱融着加工体、フェルト加工体、パイプ状ペン体、先端にスリットを有する万年筆型板状ペン体、毛筆ペン体、合成樹脂の多孔質気泡体、軸方向のインキ誘導路を有する合成樹脂の押出成形体等が挙げられる。
【００２１】
・摩擦体
前記摩擦体５は、有底筒状を有する弾性材料の成形体からなる。前記摩擦体５は、前側膨出部５１と、該前側膨出部５１の後方に連設される係合凹部５３と、該係合凹部５３の後方に連設される後側膨出部５２とからなる。前側膨出部５１は、概ね円柱状外面を有し、その外面に環状突起よりなる外側シール部５１ａが一体に形成される。後側膨出部５２は、後方に向かうに従い外径が小さくなる形状を有し、且つ、後端部が凸曲面状に形成される。前記係合凹部５３は、係合凸部２１が係合可能に寸法設定される。即ち、前側膨出部５１の後端の外径が係合凸部２１の内径より大きく設定され、且つ、後側膨出部５２の前端の外径が係合凸部２１の内径より大きく設定される。
【００２２】
また、後側膨出部５２の最大外径が、内側シール部２２の内径（または外側シール部５１ａの外径）より小さく設定される。それにより、後側膨出部５２が、係合凸部２１を乗り越える前に、内側シール部２２に嵌合することを回避でき、摩擦体５の容易な取り付けが可能となる。
【００２３】
前記摩擦体５の弾性材料は、例えば、ＳＢＳ樹脂、ＳＥＢＳ樹脂、またはシリコーン樹脂等の弾性樹脂材料が挙げられる。前記摩擦体５を構成する弾性材料は、高摩耗性の弾性樹脂（例えば、消しゴム等）からなるものよりも、摩擦時に摩耗カス（消しカス）が殆ど生じない低摩耗性の弾性樹脂からなるものが採用される。前記摩擦体５の後側膨出部５２を用いて、熱変色性インキによる熱変色性の筆跡を摩擦すると、その際に生じる摩擦熱で熱変色性の筆跡が熱変色する。
【００２４】
・作用
前記摩擦体５は、軸筒２（後軸２ｂ）の内部から後方に挿入される。そして、後側膨出部５２が軸筒２の後端開口部内面の係合凸部２１を前方から後方に乗り越え、後側膨出部５２が軸筒２の後端より外部に突出されるとともに、軸筒２の後端開口部内面の係合凸部２１に摩擦体５の係合凹部５３が係合される。それと同時に、摩擦体５の外側シール部５１ａと、軸筒２の後端開口部内面の内側シール部２２とが気密嵌合する。前記外側シール部５１ａと内側シール部２２との気密嵌合により、軸筒２内部と軸筒２外部との軸筒２の後端開口部を介する通気が確実に遮断される。
【符号の説明】
【００２５】
１  熱変色性筆記具
２  軸筒
２ａ  前軸
２ｂ  後軸
２１  係合凸部
２２  内側シール部
２３  リブ
３  インキ吸蔵体
４  ペン先
５  摩擦体
５１  前側膨出部
５１ａ  外側シール部
５２  後側膨出部
５３  係合凹部
【図１】
2011079206.tif 000003
【図２】
2011079206.tif 000004
【図３】
2011079206.tif 000005